(57)【要約】【課題】  操作スイッチの数を減らし、操作入力の方法を簡略化すると同時に、操作入力を確実に行うことを可能にする表示装置を提供する。【解決手段】  ＣＰＵ５０は、上記電圧信号の電圧値を、例えば、所定時間おきにメモリ５１に記憶するとともに、直前に記憶した電圧値と比較する。そして、現在の電圧信号と直前にメモリ５１に記憶された電圧値が変化している場合（例えば、電圧値の差の絶対値（変化量）Ｐ２−Ｐ１が所定値Ｐｔｈ以上の場合）、ＣＰＵ５０は、上記電圧値の変化量に基づいてズームレンズの移動目標位置（ズーム目標位置）を算出する。そして、ＣＰＵ５０は、変倍レンズ部５４に制御信号を出力して、ズームレンズを移動させる。ＣＰＵ５０は、例えば、ユーザによりズームスイッチ２２が強く押圧されて電圧値が大きくなると、ズーム倍率を大きくする。一方、ズームスイッチ２２を押圧する力が弱められて電圧値が小さくなると、ズーム倍率を小さくする。【選択図】      図３
2009258495.tif 000002
【特許請求の範囲】
【請求項１】
画像を取得する画像取得手段と、
前記画像取得手段によって取得された画像を表示する表示手段と、
圧力を検出する圧力検出手段と、
前記圧力検出手段によって検出された圧力に応じて前記表示手段に表示された画像を拡大又は縮小する表示制御手段と、
を備える表示装置。
【請求項２】
被写体の画像を撮影する撮影手段と、
前記撮影手段によって撮影された画像を表示する表示手段と、
圧力を検出する圧力検出手段と、
前記圧力検出手段によって検出された圧力に応じて前記被写体の画像のズーム倍率を変更するズーム倍率変更手段と、
を備える表示装置。
【請求項３】
ユーザが把持するためのグリップ部を更に備え、
前記圧力検出手段は、前記グリップ部に配置される、請求項１又は２記載の表示装置。
【請求項４】
前記圧力検出手段は、圧力を加えられたときに起電力を生じる圧電素子を含む、請求項１から３のいずれか１項記載の表示装置。
【発明の詳細な説明】
【技術分野】
【０００１】
本発明は表示装置に係り、特に画像の拡大又は縮小表示を行う機能を有する表示装置に関する。
【背景技術】
【０００２】
特許文献１には、カメラの振動を検知する振動検知手段と、前記振動検知手段によって検知された振動に基づいて適宜の動作を指令する信号を出力する信号出力手段とを備えたカメラが開示されている。
【特許文献１】特開２０００−１２５１８４号公報
【発明の開示】
【発明が解決しようとする課題】
【０００３】
従来、特に幼児や高齢者向けの電子機器において、操作スイッチの数を減らし、操作入力の方法を簡略化すると同時に、操作入力を確実に行うことを可能にすることが求められている。
【０００４】
また、画像を表示するための表示装置を備えたカメラの小型化が進んでおり、操作スイッチを配置するためのスペースが不足している。しかしながら、操作スイッチを小さくすると、操作性が悪くなるため、操作スイッチの数を減らすことが求められている。
【０００５】
特許文献１において、検知された振動に基づいて行う動作として挙げられているのはコマ送りだけであり、特許文献１に記載の技術は、コマ送り以外の操作や撮影に関わる操作入力を簡略化するものではなかった。
【０００６】
本発明はこのような事情に鑑みてなされたもので、操作スイッチの数を減らし、操作入力の方法を簡略化すると同時に、操作入力を確実に行うことを可能にする表示装置を提供することを目的とする。
【課題を解決するための手段】
【０００７】
本発明の第１の態様に係る表示装置は、画像を取得する画像取得手段と、前記画像取得手段によって取得された画像を表示する表示手段と、圧力を検出する圧力検出手段と、前記圧力検出手段によって検出された圧力に応じて前記表示手段に表示された画像を拡大又は縮小する表示制御手段とを備える。
【０００８】
本発明の第２の態様に係る表示装置は、被写体の画像を撮影する撮影手段と、前記撮影手段によって撮影された画像を表示する表示手段と、圧力を検出する圧力検出手段と、前記圧力検出手段によって検出された圧力に応じて前記被写体の画像のズーム倍率を変更するズーム倍率変更手段とを備える。
【０００９】
本発明の第３の態様に係る表示装置は、上記第１又は第２の態様において、ユーザが把持するためのグリップ部を更に備え、前記圧力検出手段は、前記グリップ部に配置される。
【００１０】
本発明の第４の態様に係る表示装置は、上記第１から第３の態様において、前記圧力検出手段は、圧力を加えられたときに起電力を生じる圧電素子を含むように構成したものである。
【発明の効果】
【００１１】
本発明によれば、圧力検出手段によって検出された圧力の大きさに応じてズーム倍率を制御するようにしたので、直観的な操作でズームを実行することができ、ズーム操作を簡略化することができる。更に、本発明によれば、ズーム操作のための操作スイッチの数を減らすことができる。
【発明を実施するための最良の形態】
【００１２】
以下、添付図面に従って本発明に係る表示装置の好ましい実施の形態について説明する。
【００１３】
［撮影装置の構成］
図１は、本発明の一実施形態に係る表示装置を備えた撮影装置（以下、カメラという。）の外観を示す図である。
【００１４】
本実施形態に係るカメラ１０は、静止画及び動画の記録及び再生機能を備えた電子カメラである。カメラ１０は、本体部１２と、グリップ部１４とを備えており、虫メガネを模した形状（電子ルーペ）である。
【００１５】
本体部１２の正面には、略矩形の表示部１６が設けられている。本体部１２の下面には、レリーズスイッチ１８と、メニュースイッチ２０とが設けられている。
【００１６】
グリップ部１４の側面には、ズームスイッチ２２が設けられている。グリップ部１４の端面には、電源スイッチ２４と、ストラップ取り付け穴２６とが設けられている。
【００１７】
本体部１２の裏面の中心近傍には、撮影レンズ２８と、補助光ランプ３０とが露呈している。また、本体部１２の裏面の図中上方には、電池を収納する電池ケースが設けられている。図中の符号３２は、電池ケースの蓋（電池蓋）である。
【００１８】
図２は、カメラ１０の内部構成を示すブロック図である。
【００１９】
中央処理装置（ＣＰＵ）５０は、所定のプログラムに従ってカメラ１０全体の動作を制御するとともに、自動露出（ＡＥ）演算、自動焦点調節（ＡＦ）演算、ホワイトバランス（ＷＢ）調整演算等の各種演算を実施する。
【００２０】
表示部１６は、例えば、カラー表示可能な液晶モニタ（ＬＣＤ）又は有機ＥＬ（electro-luminescence）モニタであり、画像入力部５６から入力された画像及び画像記録部６０に記録された画像を表示する。また、表示部１６は、ユーザインターフェース用の表示画面としても利用され、メニュー情報や選択項目、設定内容等の情報が表示される。
【００２１】
表示制御部６８は、画像入力部５６から入力された画像データ及び画像記録部６０に記録された画像データを所定方式の表示用ビデオ信号に変換する。
【００２２】
電源スイッチ２４は、カメラ１０の電源のオン・オフを切り替えるための操作手段である。電源スイッチ２４がオンになると、電源部５２からカメラ１０の各部に電源の供給が開始される。
【００２３】
レリーズスイッチ１８は、撮像開始の指示を入力するためのスイッチである。
【００２４】
メニュースイッチ２０は、表示部１６の画面上にメニューを表示させる指令を行うとともに、メニューの選択、選択内容の確定及び実行等を指令するためのスイッチである。メニュースイッチ２０は、例えば、カメラ１０の動作モード（撮影モード及び再生モード）の切り替えスイッチとして機能する。
【００２５】
ズームスイッチ２２は、ズーミング操作を行うためのスイッチである。
【００２６】
補助光ランプ３０は、被写体に対してＡＦ補助光を照射する。
【００２７】
画像記録部６０は、画像ファイル等を記録するための記録媒体であり、例えば、ｘＤピクチャカード（登録商標）、スマートメディア（登録商標）に代表される半導体メモリカード、可搬型小型ハードディスク、磁気ディスク、光ディスク、光磁気ディスク等である。
【００２８】
通信部６６は、パーソナルコンピュータその他の外部機器と接続するための通信手段である。カメラ１０は、通信部６６を介して外部機器と接続されると、当該外部機器との間でデータの受渡しが可能となる。なお、カメラ１０と外部機器との間の通信方式としては、例えば、ＵＳＢ、IEEE1394、Bluetooth（登録商標）等を採用することができる。
【００２９】
変倍レンズ部５４は、被写体の画像を拡大縮小するための変倍レンズ（ズームレンズ）を含んでいる。
【００３０】
画像入力部５６には、撮像素子（例えば、ＣＣＤ又はＣＭＯＳ）が含まれている。変倍レンズ部５４を通過した光は、撮像素子の受光面に結像される。撮像素子の受光面には多数の受光素子（例えば、フォトダイオード）が２次元的に配列されており、撮像素子の受光面に結像された被写体像は、各受光素子によって入射光量に応じた量の信号電荷に変換される。各受光素子に蓄積された信号電荷は、ＣＰＵ５０の指令に従って信号電荷に応じたアナログ画像信号として順次読み出される。
【００３１】
画像入力部５６から出力されたアナログ画像信号は、入力信号処理部５８によって所定の処理が施された後、デジタルの画像信号に変換されて、表示部１６に出力される。これにより、表示部１６にライブビュー画像（スルー画）が表示される。
【００３２】
次に、ズーム動作について説明する。
【００３３】
センサー部６２は、ズームスイッチ２２に加えられた圧力の大きさを測定する圧力センサーである。センサー部６２としては、例えば、加えられた圧力を電圧信号に変換する圧電素子（例えば、ＰＺＴ）を用いることができる。
【００３４】
ユーザによってズームスイッチ２２が押圧されると、ズームスイッチ２２によって圧電素子が押圧される。これにより、圧力に応じた大きさの電圧信号がセンサー部６２から出力される。入力制御部６４は、センサー部６２から出力された電圧信号をＣＰＵ５０に伝達する。
【００３５】
図３は、圧力とズーム倍率の経時変化を模式的に示すグラフである。図３の横軸は時間であり、縦軸は圧力の大きさに応じてセンサー部６２から出力される電圧値及びズーム倍率である。
【００３６】
ＣＰＵ５０は、上記電圧信号の電圧値を、例えば、所定時間おきにメモリ５１に記憶するとともに、直前に記憶した電圧値と比較する。そして、現在の電圧信号と直前にメモリ５１に記憶された電圧値が変化している場合（例えば、電圧値の差の絶対値（変化量）Ｐ２−Ｐ１が所定値Ｐｔｈ以上の場合）、ＣＰＵ５０は、上記電圧値の変化量に基づいてズームレンズの移動目標位置（ズーム目標位置）を算出する。そして、ＣＰＵ５０は、変倍レンズ部５４に制御信号を出力して、ズームレンズを移動させる。ＣＰＵ５０は、例えば、ユーザによりズームスイッチ２２が強く押圧されて電圧値が大きくなると、ズーム倍率を大きくする（ズームイン）。一方、ズームスイッチ２２を押圧する力が弱められて電圧値が小さくなると、ズーム倍率を小さくする（ズームアウト）。
【００３７】
次に、カメラ１０の撮像機能について説明する。
【００３８】
本実施形態に係るカメラ１０は、上記のようにズームレンズを移動させる光学ズームのほか、撮像素子によって撮像した画像の一部を切り出して拡大する電子ズーム（デジタルズーム）機能を有している。ＣＰＵ５０は、ズームレンズのテレ側の移動限界（光学ズームのテレ端）までは光学ズームを実行し、光学ズームのテレ端よりもテレ側（以下、電子ズーム領域という）へのズーミング指示を受け付けると電子ズーム機能を実行する。
【００３９】
また、ＣＰＵ５０は、変倍レンズ部５４に制御信号を出力して、フォーカシング及び絞り値の制御を行う。
【００４０】
レリーズスイッチ１８が押圧されると、記録用の撮像動作がスタートする。撮像素子から読み出されたアナログ画像信号は、画像入力部５６において、サンプリングホールド（相関２重サンプリング処理）されて増幅された後、Ａ／Ｄ変換されて、デジタル画像信号として入力信号処理部５８に入力される。
【００４１】
入力信号処理部５８に入力されたデジタル画像信号は、同時化処理が行われた後、輝度信号（Ｙ信号）及び色差信号（Ｃｒ、Ｃｂ信号）に変換されるとともに、階調変換処理（例えば、ガンマ補正）、輪郭補正回路等の所定の処理が施される。そして、上記輝度信号及び色差信号は、所定のフォーマットに従って圧縮された後、画像記録部６０に記録される。例えば、静止画についてはＪＰＥＧ（Joint Photographic Experts Group）形式、動画についてはＡＶＩ（Audio Video Interleaving）形式の画像ファイルとして記録される。
【００４２】
メニュースイッチ２０によって再生モードが選択されると、画像記録部６０に記録されている最終の画像ファイル（最後に記録された画像ファイル）の圧縮データが読み出される。最後の記録に係る画像ファイルが静止画ファイルの場合、この読み出された画像圧縮データは、非圧縮のＹ／Ｃ信号に伸張された後、表示部１６に出力されて表示される。
【００４３】
再生モード時には、ＣＰＵ５０は、ズームスイッチ２２に加えられる圧力の変化を検出すると、当該圧力の変化量に応じて画像の拡大倍率を算出し、表示中の画像の拡大縮小を行う。
【００４４】
図４は、本実施形態に係る撮影処理の流れを示すフローチャートである。
【００４５】
まず、カメラ１０の電源がオンになると、所定時間（例えば、数秒）間隔で、ズームスイッチ２２に加えられる圧力の大きさを示す電圧値が検出され、メモリ５１に一次記憶される（ステップＳ１０からＳ１４）。
【００４６】
次に、直前のループで検出され、メモリ５１に記憶された電圧値と現在の電圧値とが比較される。直前のループで検出された電圧値と現在の電圧値の差の絶対値（変化量）が所定値Ｐｔｈ以上になると（ステップＳ１６のＹｅｓ）、上記電圧値の変化量に基づいて、ズームレンズの移動目標位置が算出される（ステップＳ１８）。そして、光学ズーム又は電子ズームを実行してズーム位置を移動させる（ステップＳ２０）。
【００４７】
本実施形態によれば、グリップ部は手の小指や薬指と親指で支えズーム操作を人差し指で行うことができるので、安定した体制で操作ができるほか、ズームスイッチ２２に加えられた圧力の大きさに応じてズーム倍率を制御するようにしたので、直観的な操作でズームを実行することができ、ズーム操作を簡略化することができる。また、本実施形態によれば、ズーム操作のための操作スイッチの数を減らすことができる。
【００４８】
なお、上記ズームスイッチ２２をレリーズスイッチとして使用できるようにしてもよい。例えば、ズームスイッチ２２に加えられる圧力が急激に変化した場合（例えば、ユーザが握る力を瞬時に強めた場合又は弱めた場合に、電圧信号の差の絶対値が所定値（例えば、上記のＰｔｈより大きい第２の所定値）以上の場合）、ＣＰＵ５０からレリーズ信号を出力するようにしてもよい。
【００４９】
なお、グリップ部１４を握る力を急激に変化させると手ブレが生じるおそれがある。このため、所定時間おきにフル画素の画像を記録しておき、圧力の急激な変化を検出した場合に、直前に記録したフル画素の画像を画像記録部６０に記録するようにすることが好ましい。
【図面の簡単な説明】
【００５０】
【図１】本発明の一実施形態に係る表示装置を備えた撮影装置（カメラ）の外観を示す図
【図２】カメラ１０の内部構成を示すブロック図
【図３】圧力とズーム倍率の経時変化を模式的に示すグラフ
【図４】撮影処理の流れを示すフローチャート
【符号の説明】
【００５１】
１０…カメラ、１２…本体部、１４…グリップ部、１６…表示部、１８…レリーズスイッチ、２０…メニュースイッチ、２２…ズームスイッチ、２４…電源スイッチ、２６…ストラップ取り付け穴、２８…撮影レンズ、３０…補助光ランプ、３２…電池蓋、５０…ＣＰＵ、５１…メモリ、５２…電源部、５４…変倍レンズ部、５６…画像入力部、５８…、６０…画像記録部、６２…センサー部、６４…入力制御部、６６…通信部、６８…表示制御部
【図１】
2009258495.tif 000003
【図２】
2009258495.tif 000004
【図３】
2009258495.tif 000005
【図４】
2009258495.tif 000006